(57)【要約】【課題】ディスプレイ等に映像等を表示する際に、映像等を見易くすることのできる技術を提供する。【解決手段】端末３の制御部は、操作部から出力される信号に応じて、コンテンツの配信を要求する旨を示す要求データを、中継装置２へ送信する。このとき、端末３の制御部は、コンテンツの配信先である端末３の端末ＩＤ（識別情報）を要求データに含め、端末ＩＤが複数含まれた要求データを中継装置２へ送信する。中継装置２は、端末３から送信されてくる要求データを受信し、受信された要求データに対応するオリジナルコンテンツをサーバ装置１から受信する。中継装置２の制御部は、複数の分割コンテンツを、受信した要求データに対応する複数の端末３へそれぞれ配信する。端末３は、中継装置２から配信されてくる分割コンテンツを受信し、受信した分割コンテンツの表す画像を表示部に表示させる。【選択図】図１
2010226240.tif 000002
【特許請求の範囲】
【請求項１】
画像を表すオリジナルコンテンツの配信を要求する旨を示し配信先の端末を示す端末識別情報を複数含む要求データを受信する要求データ受信手段と、
前記要求データ受信手段によって受信された要求データに対応するオリジナルコンテンツを取得するコンテンツ取得手段と、
前記要求データ受信手段によって受信された要求データに対応するオリジナルコンテンツを、前記画像を複数に分割した分割画像の各々を表す分割コンテンツに分割するコンテンツ分割手段と、
前記コンテンツ分割手段によって分割された分割コンテンツを、前記要求データに対応する複数の端末へそれぞれ配信する分割コンテンツ配信手段と
を具備することを特徴とする配信制御装置。
【請求項２】
前記コンテンツ分割手段は、前記コンテンツを、前記要求データに含まれる端末識別情報の数に分割する
ことを特徴とする請求項１に記載の配信制御装置。
【請求項３】
前記要求データは、前記分割コンテンツの配信先の端末の表示領域のサイズを示すサイズデータを含み、
前記コンテンツ配信手段は、前記オリジナルコンテンツを、前記要求データに含まれるサイズデータに応じた分割態様で、該要求データに含まれる端末識別情報に分割する
ことを特徴とする請求項１又は２に記載の配信制御装置。
【請求項４】
前記分割コンテンツの配信における同期制御を行う同期制御手段
を具備することを特徴とする請求項１乃至３のいずれか１項に記載の配信制御装置。
【請求項５】
配信制御装置と複数の端末とを備えるコンテンツ配信システムであって、
前記配信制御装置は、
画像を表すオリジナルコンテンツの配信を要求する旨を示し配信先の端末を示す端末識別情報を複数含む要求データを受信する要求データ受信手段と、
前記要求データ受信手段によって受信された要求データに対応するオリジナルコンテンツを取得するコンテンツ取得手段と、
前記要求データ受信手段によって受信された要求データに対応するオリジナルコンテンツを、前記画像を複数に分割した分割画像の各々を表す分割コンテンツに分割するコンテンツ分割手段と、
前記コンテンツ分割手段によって分割された分割コンテンツを、前記要求データに対応する複数の端末へそれぞれ配信する分割コンテンツ配信手段と
を具備し、
前記複数の端末の各々は、
配信先を示す要求データ送信手段と、
複数のチャネルのうちのいずれかを選択する選択手段と、
前記選択手段によって選択されたチャネルで配信される分割コンテンツを受信する分割コンテンツ受信手段と、
前記分割コンテンツ受信手段によって受信された分割コンテンツの表す画像を、表示手段に表示させる表示制御手段と
を具備することを特徴とするコンテンツ配信システム。
【請求項６】
画像を表すオリジナルコンテンツを取得するコンテンツ取得手段と、
前記コンテンツ取得手段によって取得されたオリジナルコンテンツを、前記画像を複数に分割した分割画像の各々を表す分割コンテンツに分割する分割手段と、
前記分割手段によって分割された複数の分割コンテンツを、それぞれ異なる無線チャネルを用いて配信するコンテンツ配信手段と
を具備することを特徴とする配信制御装置。
【発明の詳細な説明】
【技術分野】
【０００１】
本発明は、コンテンツを配信する技術に関する。
【背景技術】
【０００２】
現在、携帯端末の普及率はすさまじく、特に携帯電話は一人１台（もしくはそれ以上）の普及率をほこっている。携帯電話は、電話の用途だけでなく、スマートフォン等の普及により、マルチメディア端末としての用途がおおきく、電話以外の用途で用いられることが多い。同時に、携帯向け放送（ワンセグ等）を受信できるワンセグ対応携帯も爆発的に普及しており、今後ますます、携帯端末を用いてのコンテンツ視聴が行われることとなる。しかしながら、携帯端末を用いてコンテンツを視聴する場合、映像コンテンツ、データコンテンツ（もしくは映像とデータを含むコンテンツ）は、携帯端末の表示領域（表示解像度）に制限されるのが現状である。
【０００３】
ところで、携帯電話等の小型の携帯装置において、複数の表示ディスプレイを備える装置が提案されている。例えば、特許文献１には、２面、３面、多面体の可動開閉型マルチウィンドウの画面を設けることにより、情報が一度に多面的に表示できる装置が提案されている。特許文献１に記載の装置は、可動開閉型マルチウィンドウを開閉式、スライド式とすることにより、マルチ機能が十分機能できるようになる。
【０００４】
特許文献２には、複数の表示装置を並べて情報を表示する多画面表示装置で、各表示装置間でのタイミングを同期させて表示させる装置が提案されている。特許文献２に記載の多画面表示装置は、４つの表示装置からなっており、外部制御装置からの制御信号に応じて表示装置の表示切替の時間差を補正し、複数の表示装置の表示を同時に切り替えるようになっている。
【０００５】
特許文献３には、携帯端末側から、放送される映像を選択するカメラ映像に所定時間切り替えることができる携帯端末用放送通信システムが提案されている。特許文献３に記載のシステムは、携帯端末側から放送される映像を選択するカメラ映像に所定時間きりかえることができると共に、切り替えられた所定時間のカメラ映像をデジタルコンテンツとして携帯端末にダウンロードすることができる。
【先行技術文献】
【特許文献】
【０００６】
【特許文献１】特開２００８−０２８９６９号公報
【特許文献２】特開平０８−２２１０４２号公報
【特許文献３】特開２００８−２２１１７号公報
【発明の概要】
【発明が解決しようとする課題】
【０００７】
特許文献１に記載の技術では、表示ディスプレイを複数設けることで表示デバイスの表域を広げることが可能であるが、常に携帯端末に付属しているものであり柔軟性が低い。また、特許文献２に記載の技術は、並べて用いることを前提にされている装置であり、特許文献１に記載の技術と同様に柔軟性が低い。特許文献３に記載の技術では、ワンセグ放送で放送される映像を選択することはできるが、同時刻で行われているカメラ映像を同時に視聴することや携帯端末の表示デバイスのサイズ以上の解像度でコンテンツを視聴することはできない。
本発明は上述した背景に鑑みてなされたものであり、ディスプレイ等に映像等を表示する際に、映像等を見易くすることのできる技術を提供することを目的とする。
【課題を解決するための手段】
【０００８】
上記課題を解決するために、本発明は、画像を表すオリジナルコンテンツの配信を要求する旨を示し配信先の端末を示す端末識別情報を複数含む要求データを受信する要求データ受信手段と、前記要求データ受信手段によって受信された要求データに対応するオリジナルコンテンツを取得するコンテンツ取得手段と、前記要求データ受信手段によって受信された要求データに対応するオリジナルコンテンツを、前記画像を複数に分割した分割画像の各々を表す分割コンテンツに分割するコンテンツ分割手段と、前記コンテンツ分割手段によって分割された分割コンテンツを、前記要求データに対応する複数の端末へそれぞれ配信する分割コンテンツ配信手段とを具備することを特徴とする配信制御装置を提供する。
【０００９】
本発明の好ましい態様において、前記コンテンツ分割手段は、前記コンテンツを、前記要求データに含まれる端末識別情報の数に分割してもよい。
【００１０】
また、本発明の更に好ましい態様において、前記要求データは、前記分割コンテンツの配信先の端末の表示領域のサイズを示すサイズデータを含み、前記コンテンツ配信手段は、前記オリジナルコンテンツを、前記要求データに含まれるサイズデータに応じた分割態様で、該要求データに含まれる端末識別情報に分割してもよい。
【００１１】
また、本発明の更に好ましい態様において、前記分割コンテンツの配信における同期制御を行う同期制御手段を具備してもよい。
【００１２】
また、本発明は、配信制御装置と複数の端末とを備えるコンテンツ配信システムであって、前記配信制御装置は、画像を表すオリジナルコンテンツの配信を要求する旨を示し配信先の端末を示す端末識別情報を複数含む要求データを受信する要求データ受信手段と、前記要求データ受信手段によって受信された要求データに対応するオリジナルコンテンツを取得するコンテンツ取得手段と、前記要求データ受信手段によって受信された要求データに対応するオリジナルコンテンツを、前記画像を複数に分割した分割画像の各々を表す分割コンテンツに分割するコンテンツ分割手段と、前記コンテンツ分割手段によって分割された分割コンテンツを、前記要求データに対応する複数の端末へそれぞれ配信する分割コンテンツ配信手段とを具備し、前記複数の端末の各々は、配信先を示す要求データ送信手段と、複数のチャネルのうちのいずれかを選択する選択手段と、前記選択手段によって選択されたチャネルで配信される分割コンテンツを受信する分割コンテンツ受信手段と、前記分割コンテンツ受信手段によって受信された分割コンテンツの表す画像を、表示手段に表示させる表示制御手段とを具備することを特徴とするコンテンツ配信システムを提供する。
【００１３】
また、本発明は、画像を表すオリジナルコンテンツを取得するコンテンツ取得手段と、前記コンテンツ取得手段によって取得されたオリジナルコンテンツを、前記画像を複数に分割した分割画像の各々を表す分割コンテンツに分割する分割手段と、前記分割手段によって分割された複数の分割コンテンツを、それぞれ異なる無線チャネルを用いて配信するコンテンツ配信手段とを具備することを特徴とする配信制御装置を提供する。
【００１４】
また、本発明の更に好ましい態様において、前記分割コンテンツの配信先となる複数の端末間の認証を行う認証手段を具備し、前記コンテンツ配信手段は、前記認証手段によって認証された端末に対して前記分割コンテンツをそれぞれ配信してもよい。
【００１５】
また、本発明の更に好ましい態様において、前記認証手段は、前記複数の端末が物理的に接続されることによって認証を行ってもよい。
【発明の効果】
【００１６】
本発明によれば、ディスプレイ等に映像等を表示する際に、映像等を見易く表示することができる。
【図面の簡単な説明】
【００１７】
【図１】コンテンツ配信システムの構成の一例を示すブロック図である。
【図２】サーバ装置の構成の一例を示すブロック図である。
【図３】中継装置の構成の一例を示すブロック図である。
【図４】端末の構成の一例を示すブロック図である。
【図５】分割コンテンツの内容の一例を示す図である。
【図６】端末の表示部に表示される内容の一例を示す図である。
【図７】分割コンテンツの内容の一例を示す図である。
【図８】端末の表示部に表示される内容の一例を示す図である。
【図９】分割コンテンツの内容の一例を示す図である。
【図１０】端末の表示部に表示される内容の一例を示す図である。
【図１１】コンテンツ配信システムの構成の一例を示すブロック図である。
【発明を実施するための形態】
【００１８】
＜Ａ：第１実施形態＞
＜Ａ−１：構成＞
図１は、この発明の一実施形態であるコンテンツ配信システム１００の構成の一例を示すブロック図である。このコンテンツ配信システム１００は、サーバ装置１と、中継装置２と、端末３−１，３−２，…，３−Ｎ（Ｎは自然数）と、ネットワーク４とを備える。サーバ装置１は、他の装置に対してコンテンツを配信する。サーバ装置１と中継装置２とはネットワーク４に接続される。なお、サーバ装置１と中継装置２は、ネットワーク４に有線接続されていてもよく、また、無線接続されていてもよい。また、中継装置２と端末３−１，３−２，…，３−Ｎは、有線接続されていてもよく、また、無線接続されていてもよい。以下の説明においては、説明の便宜上、端末３−１，３−２，…，３−Ｎを各々区別する必要がない場合には、これらを「端末３」と称して説明する。サーバ装置１が配信するコンテンツとしては、例えば映像や動画像を表すコンテンツや、テキストを表すコンテンツ、音声を表すコンテンツ、又はこれらを複数組み合わせて構成されるコンテンツを含む。以下の説明では、説明の便宜上、サーバ装置１が配信するコンテンツを「オリジナルコンテンツ」と称して説明する。
【００１９】
図２は、サーバ装置１のハードウェア構成の一例を示すブロック図である。図において、制御部１１は、ＣＰＵ（Central Processing Unit）や、ＲＯＭ（Read Only Memory）、ＲＡＭ（Random Access Memory）を備え、ＲＯＭ又は記憶部１２に格納されたコンピュータプログラムに従ってサーバ装置１の制御を行う。記憶部１２は、ハードディスク等の記憶手段であり、サーバ装置１の制御に関するプログラムなどの各種プログラムが格納されている。通信部１３は、外部装置と通信する通信手段である。ここにおいて、外部装置とは、例えば、自装置と異なる記録装置や、ネットワーク４を介して接続される中継装置２等である。通信部１３は、外部装置と有線により通信を行ってもよいし、無線により通信を行ってもよい。
【００２０】
図３は、中継装置２のハードウェア構成の一例を示すブロック図である。図において、制御部２１は、ＣＰＵや、ＲＯＭ、ＲＡＭを備え、ＲＯＭ又は記憶部２２に格納されたコンピュータプログラムに従って中継装置２の制御を行う。記憶部２２は、ハードディスク等の記憶手段であり、中継装置２の制御に関するプログラムなどの各種プログラムが格納されている。通信部２３は、外部装置と通信する通信手段である。ここにおいて、外部装置とは、例えば、自装置と異なる記録装置や、端末３、ネットワーク４を介して接続されるサーバ装置等である。通信部２３は、外部装置と有線により通信を行ってもよいし、無線により通信を行ってもよい。
【００２１】
次に、端末３の構成について、図４を参照しつつ説明する。端末３は、通信機能等を備えた携帯電話端末である。図４は、端末３のハードウェア構成の一例を示すブロック図である。図において、制御部３１は、ＣＰＵや、ＲＯＭ、ＲＡＭを備え、ＲＯＭ又は記憶部３２に格納されたコンピュータプログラムに従って端末３の制御を行う。記憶部３２は、ハードディスク等の記憶手段であり、端末３の制御に関するプログラムなどの各種プログラムが格納されている。操作部３３は、キーボードやマウス等を備え、端末３の利用者はこの操作部３３を用いて各種操作を行う。表示部３４は、液晶ディスプレイ等を備え、制御部３１の制御の下に各種の画像を表示する。通信部３５は、外部装置と通信する通信手段である。ここにおいて、外部装置とは、例えば、自装置と異なる記録装置や、中継装置２である。通信部３５は、外部装置と有線により通信を行ってもよいし、赤外線通信などによって外部装置と無線により通信を行ってもよい。
【００２２】
＜Ａ−２：動作＞
次に、この実施形態の動作について説明する。まず、利用者は、端末３の操作部３３を用いて、コンテンツの配信を要求する旨を示す要求データを、中継装置２に対して送信するための操作を行う。端末３の制御部３１は、操作部３３から出力される信号に応じて、コンテンツの配信を要求する旨を示す要求データを、中継装置２へ送信する。このとき、端末３の制御部３１は、コンテンツの配信先である端末３の端末ＩＤ（識別情報）を要求データに含め、端末ＩＤが複数含まれた要求データを中継装置２へ送信する。端末ＩＤの取得の態様としては、例えば、利用者が操作部３３を用いて配信を希望する端末ＩＤを入力し、制御部３１が操作部３３からの信号に応じて端末ＩＤを取得するようにしてもよく、また、例えば、制御部３１が記憶部３２に予め記憶された端末ＩＤを読み出すことによって取得するようにしてもよい。
【００２３】
中継装置２は、端末３から送信されてくる要求データを受信し、受信された要求データに対応するオリジナルコンテンツを取得する。この取得の態様としては、例えば、中継装置２がサーバ装置１からオリジナルコンテンツを受信するようにしてもよい。
【００２４】
中継装置２の制御部２１は、サーバ装置１からオリジナルコンテンツを受信し、受信したオリジナルコンテンツを、オリジナルコンテンツの表す画像を複数に分割した分割画像の各々を表す分割コンテンツに分割する。図５は、分割コンテンツの内容の一例を示す図である。ここでは、制御部２１は、映像を表す映像コンテンツＣ１を、図５に示すように、左側の映像を表す左コンテンツＣ１１と右側の映像を表す右コンテンツＣ１２との２つに分割する。分割コンテンツを受信した配信先を示す要求データに対応する複数の端末３へそれぞれ配信する。
【００２５】
端末３は、中継装置２から配信されてくる分割コンテンツを受信し、受信した分割コンテンツの表す画像を表示部３４に表示させる。具体的な表示例は、図６、図８、図１０等で示したようになる。
ここで、図のようにコンテンツ配信者に意図された並べ方だけでなく、左右逆や上下逆のコンテンツ配信者にとっては意図しない形に端末を並べられる可能性もある。そのため、コンテンツ内に端末の組合せ型を重畳して配信してもよい。例えば、図６の場合には、右画面用コンテンツ、左画面用コンテンツ等となる。
複数のユーザは、それぞれが所有する端末３を並べて配置し、複数の端末３の表示部３４に表示された映像をあわせて見ることにより、１台の端末３で映像を表示させるよりも、大画面で映像を楽しむことができる。
【００２６】
以上説明したように本発明によれば、複数の携帯端末の表示領域を使いコンテンツを視聴することで、解像度を落とすことなく表示・視聴することが可能となる。必要なとき（必要なコンテンツ）毎に必要なだけの携帯端末を用意することで柔軟に表示領域の拡大が可能となる。
【００２７】
また、携帯向け放送（ワンセグ放送等）には、映像情報、データ情報が含まれるが、これらを１画面で視聴すると映像情報がさらに小さく（低解像度）で表示されてしまう。これに対し、本実施形態によれば、映像情報を複数の携帯端末で表示するだけでなく、データ情報部だけを別の携帯端末にわけることで、映像部、データ部をそれぞれを高解像度でよりリッチなコンテンツの視聴が可能となる。
【００２８】
＜Ｂ：第２実施形態＞
＜Ｂ−１：構成＞
次に、この発明の第２の実施形態について説明する。この実施形態に係るコンテンツ配信システムが、上述した第１に実施形態に係るコンテンツ配信システムと異なる点は、中継装置２の動作が異なる点と、端末３の動作が異なる点であり、システムの構成及び各装置の構成は上述した第１に実施形態のそれと同様である。そのため、以下の説明においては、上述した第１の実施形態と同様の構成については、同じ符号を用いて適宜その説明を省略する。
【００２９】
＜Ｂ−２：動作＞
＜Ｂ−２−１：動作例１＞
次に、本実施形態の動作について説明する。サーバ装置１は、オリジナルコンテンツを、予め定められたチャネルを用いて配信する。このとき、サーバ装置１は、記憶部１２に予め記憶されているオリジナルコンテンツを読み出して配信するようにしてもよく、また、他の装置からオリジナルコンテンツを取得して配信するようにしてもよい。また、このオリジナルコンテンツは、ひとつの画像を表すコンテンツであってもよく、また、複数のコンテンツが組み合わされて構成されたものであってもよい。サーバ装置１によって配信されたオリジナルコンテンツは中継装置２で受信される。
【００３０】
中継装置２の制御部２１は、サーバ装置１からオリジナルコンテンツを受信し、受信したオリジナルコンテンツを、オリジナルコンテンツの表す画像を複数に分割した分割画像の各々を表す分割コンテンツに分割する。図５は、分割コンテンツの内容の一例を示す図である。ここでは、制御部２１は、映像を表す映像コンテンツＣ１を、図５に示すように、左側の映像を表す左コンテンツＣ１１と右側の映像を表す右コンテンツＣ１２との２つに分割する。
【００３１】
制御部２１は、複数の分割コンテンツを、それぞれ異なるチャネルを用いて配信する。具体的には、ここでは、制御部２１は、図５に例示した左コンテンツＣ１１をチャネルＣＨ１によって配信する一方、右コンテンツＣ１２をチャネルＣＨ２によって配信する。
【００３２】
次に、端末３の動作について説明する。まず、利用者は、端末３の操作部３３を用いて、中継装置２から配信されてくる分割コンテンツを受信するための操作を行う。端末３の制御部３１は、操作部３３から出力される信号に応じて、コンテンツを表示するための処理を開始する。制御部３１は、利用者の操作に応じて、複数のチャネルのうちのいずれかを選択し、選択したチャネルを用いて配信される分割コンテンツを受信し、受信した分割コンテンツの表す画像を、表示部３４に表示させる。
【００３３】
ここで、端末３の具体的な動作の一例について、図面（図５と図６）を参照しつつ説明する。この動作例では、ユーザＡが所有する端末３（以下「端末３ａ」という）と、ユーザＢが所有する端末３（以下「端末３ｂ」という）とを用いる場合の動作の一例について説明する。ユーザＡは、端末３ａの操作部３３を用いて、チャネルＣＨ１を選択する操作を行う。端末３ａの制御部３１は、操作部３３から出力される信号に応じて、チャネルＣＨ１で配信されてくる分割コンテンツを受信し、受信した分割コンテンツを表示部３４（以下「表示部３４ａ」という）に供給する。これにより、表示部３４ａには、チャネルＣＨ１で配信されてくる分割コンテンツの表す映像が表示される。
【００３４】
一方、ユーザＢは、端末３ｂの操作部３３を用いて、チャネルＣＨ２を選択する操作を行う。端末３ｂの制御部３１は、操作部３３から出力される信号に応じて、チャネルＣＨ２で配信されてくる分割コンテンツを受信し、受信した分割コンテンツを表示部３４（以下「表示部３４ｂ」という）に供給する。これにより、表示部３４ｂには、チャネルＣＨ２で配信されてくる分割コンテンツの表す映像が表示される。
【００３５】
ユーザＡとユーザＢは、それぞれが所有する端末３ａ，３ｂを並べて配置する。図６は、端末３ａ，３ｂが並べて配置された場合の一例を示す図である。図示のように、表示部３４ａには左コンテンツＣ１１の表す映像が表示され、表示部３４ｂには、右コンテンツＣ１２の表す映像が表示される。ユーザＡとユーザＢは、表示部３４ａ，３４ｂに表示される映像をあわせて見ることにより、一台の端末３で映像を表示させるよりも、大画面で映像を楽しむことができる。
【００３６】
＜Ｂ−２−２：動作例２＞
次に、この実施形態の他の動作例について、図面（図７と図８）を参照しつつ説明する。サーバ装置１は、オリジナルコンテンツを、予め定められたチャネルを用いて配信する。ここでは、サーバ装置１は、映像を表す映像コンテンツと映像に関するデータの内容を表すデータコンテンツとを含むオリジナルコンテンツを、予め定められたチャネルを用いて配信する。サーバ装置１によって配信されたオリジナルコンテンツは中継装置２で受信される。
【００３７】
中継装置２の制御部２１は、サーバ装置１から受信したコンテンツを、コンテンツの表す画像を複数に分割した分割画像の各々を表す分割コンテンツに分割する。図７は、分割コンテンツの内容の一例を示す図である。ここでは、制御部２１は、映像を表す映像コンテンツと映像に関するデータの内容を表すデータコンテンツとを含むオリジナルコンテンツＣ２を、映像コンテンツＣ２１とデータコンテンツＣ２２とに分割する。
【００３８】
制御部２１は、複数の分割コンテンツを、それぞれ異なるチャネルを用いて配信する。具体的には、例えば、制御部２１は、図７に例示した映像コンテンツＣ２１をチャネルＣＨ１で配信する一方、データコンテンツＣ２２をチャネルＣＨ２によって配信する。
【００３９】
次に、端末３の動作の一例について説明する。この動作例においても、ユーザＡが所有する端末３ａとユーザＢが所有する端末３ｂとを用いる場合について説明する。ユーザＡは、端末３ａの操作部３３を用いて、チャネルＣＨ１を選択する操作を行う。端末３ａの制御部３１は、操作部３３から出力される信号に応じて、チャネルＣＨ１で配信されてくる分割コンテンツを受信し、受信した分割コンテンツを表示部３４（以下「表示部３４ａ」という）に供給する。これにより、表示部３４ａには、チャネルＣＨ１で配信されてくる分割コンテンツの表す映像が表示される。
【００４０】
一方、ユーザＢは、端末３ｂの操作部３３を用いて、チャネルＣＨ２を選択する操作を行う。端末３ａの制御部３１は、操作部３３から出力される信号に応じて、チャネルＣＨ２で配信されてくる分割コンテンツを受信し、受信した分割コンテンツを表示部３４（以下「表示部３４ｂ」という）に供給する。これにより、表示部３４ｂには、チャネルＣＨ２で配信されてくる分割コンテンツの表す映像が表示される。
【００４１】
ユーザＡとユーザＢはそれぞれが所有する端末３ａ，３ｂを並べて配置する。図８は、端末３ａ，３ｂが並べて配置された場合の一例を示す図である。図示のように、表示部３４ａには映像コンテンツＣ２１の表す映像が表示され、表示部３４ｂにはデータコンテンツＣ２２の表す映像が表示される。ユーザＡとユーザＢは、表示部３４ａ，３４ｂに表示される映像をあわせて見ることにより、１台の端末３で映像を表示させるよりも、大画面で映像を楽しむことができる。
【００４２】
＜Ｂ−２−３：動作例３＞
次に、この実施形態の他の動作例について、図面（図９と図１０）を参照しつつ説明する。サーバ装置１は、オリジナルコンテンツを、予め定められたチャネルを用いて配信する。ここでは、サーバ装置１は、スポーツやコンサート等を、異なる位置に設置された撮影装置で撮影された複数の映像の各々を表す映像コンテンツを複数含むオリジナルコンテンツを、予め定められたチャネルを用いて配信する。サーバ装置１によって配信されたオリジナルコンテンツは中継装置２で受信される。
【００４３】
中継装置２の制御部２１は、サーバ装置１から受信したコンテンツを、コンテンツの表す画像を複数に分割した分割画像の各々を表す分割コンテンツに分割する。図９は、分割コンテンツの内容の一例を示す図である。ここでは、制御部２１は、オリジナルコンテンツＣ３を、第１の映像を表す映像コンテンツＣ３１と第２の映像を表す映像コンテンツＣ３２とに分割する。
【００４４】
制御部２１は、複数の分割コンテンツを、それぞれ異なるチャネルを用いて配信する。具体的には、例えば、制御部２１は、図９に例示した映像コンテンツＣ３１をチャネルＣＨ１で配信する一方、映像コンテンツＣ３２をチャネルＣＨ２によって配信する。
【００４５】
次に、端末３の動作の一例について説明する。この動作例においても、ユーザＡが所有する端末３ａとユーザＢが所有する端末３ｂとを用いる場合について説明する。ユーザＡは、端末３ａの操作部３３を用いて、チャネルＣＨ１を選択する操作を行う。端末３ａの制御部３１は、操作部３３から出力される信号に応じて、チャネルＣＨ１で配信されてくる分割コンテンツを受信し、受信した分割コンテンツを表示部３４（以下「表示部３４ａ」という）に供給する。これにより、表示部３４ａには、チャネルＣＨ１で配信されてくる分割コンテンツの表す映像が表示される。
【００４６】
一方、ユーザＢは、端末３ｂの操作部３３を用いて、チャネルＣＨ２を選択する操作を行う。端末３ｂの制御部３１は、操作部３３から出力される信号に応じて、チャネルＣＨ２で配信されてくる分割コンテンツを受信し、受信した分割コンテンツを表示部３４（以下「表示部３４ｂ」という）に供給する。これにより、表示部３４ｂには、チャネルＣＨ２で配信されてくる分割コンテンツの表す映像が表示される。
【００４７】
ユーザＡとユーザＢはそれぞれが所有する端末３ａ，３ｂを並べて配置する。図１０は、端末３ａ，３ｂが並べて配置された場合の一例を示す図である。図示のように、表示部３４ａには映像コンテンツＣ３１の表す映像が表示され、表示部３４ｂには映像コンテンツＣ３２の表す映像が表示される。ユーザＡとユーザＢは、表示部３４ａ，３４ｂに表示される映像をあわせて見ることにより、１台の端末３で映像を表示させるよりも、大画面で映像を楽しむことができる。
【００４８】
＜Ｃ：変形例＞
以上、本発明の実施形態について説明したが、本発明は上述した実施形態に限定されることなく、他の様々な形態で実施可能である。以下にその例を示す。なお、以下の各態様を適宜に組み合わせてもよい。
（１）上述の第２の実施形態では、中継装置２がオリジナルコンテンツを複数の分割コンテンツに分割する処理を行い、分割コンテンツの各々を異なる無線チャネルで配信した。すなわち、上述の第２の実施形態では、コンテンツを取得するコンテンツ取得手段と、オリジナルコンテンツを分割する分割手段と、コンテンツを配信する配信手段とが、中継装置２の筐体に収められている構成であった。これに代えて、サーバ装置１がオリジナルコンテンツを分割する処理を行うようにしてもよい。すなわち、オリジナルコンテンツを分割する分割手段と、コンテンツを配信するコンテンツ配信手段とが、通信ネットワークで接続されている構成であってもよい。この場合は、サーバ装置１の制御部１１が、配信すべきコンテンツを複数の分割コンテンツに分割し、各分割コンテンツをそれぞれ異なるチャネルを用いて中継装置２に配信する。中継装置２は、サーバ装置１からそれぞれ異なるチャネルを用いて配信されてくる分割コンテンツを、それぞれ異なる無線チャネルを用いて端末３へ配信する。
【００４９】
また、上述の実施形態において、中継装置２はいわゆるルーティング機能を備えたルータであってもよい。この場合、中継装置２はオリジナルコンテンツが入力される入力端子と、分割コンテンツを出力する出力端子とを備え、中継装置２の制御部２１は、入力端子に入力されたオリジナルコンテンツを取得するとともに、オリジナルコンテンツを分割した分割コンテンツをルーティングして配信するようにしてもよい。この場合、中継装置２を一般のルータとして用いることができるので、このルータを経由するだけで、分割された分割コンテンツを端末３に配信することができる。
【００５０】
また、中継装置２がオリジナルコンテンツを分割する処理を行うに代えて、端末３がオリジナルコンテンツを分割する処理を実行するようにしてもよい。この場合は、中継装置２は、サーバ装置１から送信されてくるオリジナルコンテンツをそのまま（分割せずに）端末３へ配信する。端末３の制御部３１は、中継装置２から送信されてくるオリジナルコンテンツをひとつの無線チャネルを用いて受信し、受信したコンテンツから一部を抽出し、抽出したコンテンツの表す画像を表示部３４に表示させる。この場合、オリジナルコンテンツとして複数のコンテンツで構成されたものが用いられる場合には、端末３の制御部３１は、複数のコンテンツのいずれを表示するかを、操作部３３からの信号等に応じて選択し、選択した画像に対応するコンテンツを受信したオリジナルコンテンツから抽出し、抽出したコンテンツを表示部３４に供給するようにしてもよい。
【００５１】
このように、中継装置２がコンテンツの分割処理を行うようにしてもよく、また、サーバ装置１が分割処理を行うようにしてもよく、また、端末３の各々が分割処理を行うようにしてもよい。要は、サーバ装置１、中継装置２及び端末３のうちの少なくともいずれかひとつが、オリジナルコンテンツを複数の分割コンテンツに分割する処理を行うようにすればよい。
【００５２】
（２）上述の第１及び第２の実施形態において、複数の端末３の間で認証を行うようにしてもよい。具体的には、例えば、図１１に示すように、認証を行う認証装置５をネットワーク上に設ける構成とし、この認証装置５によって複数の端末３間の認証を行うようにしてもよい。この場合、中継装置２は、認証装置５によって認証された端末３に対して分割コンテンツをそれぞれ配信する。
【００５３】
また、認証装置５をネットワーク上に設けるに代えて、サーバ装置１や中継装置２に認証機能を設け、サーバ装置１や中継装置２で認証を行うようにしてもよい。また、例えば、端末３のそれぞれに認証を行う認証機能を設ける構成とし、端末３が認証を行うようにしてもよい。この場合、例えば、複数の端末３を物理的に接続することや、近距離通信によって認証を行うようにしてもよい。物理的な態様としては、例えば、ＵＳＢコネクタや専用コネクタによって物理的に接続するようにしてもよい。近距離通信の態様としては、例えば赤外線通信やBluetooth（登録商標）により端末間で認証を行うようにしてもよい。
この態様によれば、複数の携帯端末を接することで、コンテンツの認証を表示することができる。また、物理的に接続するに限らず、例えば、赤外線等を用いて認証を行うようにしてもよい。また、例えば、ユーザが操作部３３を用いて相手端末の識別情報を入力するようにしてもよい。
【００５４】
また、２つの端末で認証後、どちらかの端末にチャンネル制御権を持たせ、複数の端末のチャンネル変更を同時にできるようにしてもよい。これによりチャンネル変更の際に１つの端末のチャンネル変更で２つの端末の表示を切り替えることができる。例えば、コンテンツを２つのチャンネル（ＣＨ１とＣＨ２）の組み合わせで端末３−１と端末３−２で表示中に、チャンネルを変更する際に、端末３−１にチャンネル制御権を持たせ、チャンネルを切替（ＣＨ１からＣＨ３へ切替）することで、端末３−２で表示中のコンテンツもチャンネルが切り替わる（ＣＨ２からＣＨ４へ切替）。この場合は、より具体的には、例えば、ユーザが端末３−１の操作部３３を用いてチャンネルをＣＨ１からＣＨ２へ変更する旨の操作が行われると、端末３−１の制御部３１が、操作部３３から出力される信号に応じてチャンネルをＣＨ１からＣＨ３に切り替えるとともに、チャンネルを切り替える旨を指示するデータを端末３−２へ送信するようにしてもよい。この場合、端末３−２は、端末３−１からデータを受信すると、受信したデータに従ってチャンネルをＣＨ２からＣＨ４へ切り替える。
【００５５】
（３）上述の第１及び第２の実施形態において、複数の端末３の間で分割コンテンツの配信における同期制御を行うようにしてもよい。この場合、同期制御処理を行う同期装置６（図１１に鎖線で図示）をネットワーク上に設ける構成とし、この同期装置６が、複数の端末３間で分割コンテンツの配信における同期制御を行うようにしてもよい。また、同期装置６を設けるに代えて、サーバ装置１、中継装置２及び端末３の少なくともいずれかひとつが同期処理を行うようにしてもよい。
図６のように動画の分割コンテンツを表示しているような厳密な分割コンテンツ間の同期が必要な場合には同期処理は有効である。
同期処理の方法としては、同期装置により中継装置２と端末３（３−１，３−２，・・点３−Ｎ）のそれぞれのネットワークの遅延時間を計算しておき遅延時間を考慮し中継装置２からそれぞれの端末にコンテンツを送信し複数の端末側で分割コンテンツを同期再生する方法や、時間により前記遅延時間が激しく変化するようなネットワークに対しては遅延時間を単位毎に計算し（例えば、単位パケット毎や決められた時間毎に中継装置２と端末３のネットワークの遅延時間を計算し遅延時間を刻々と更新する）決定された遅延時間を考慮し中継装置２からそれぞれの端末にコンテンツを送信し複数の端末側で分割コンテンツを同期再生する方法や、同期装置によりコンテンツ分割の際にコンテンツのヘッダー等にネットワークの遅延時間を埋め込み、ネットワークを通じ端末にコンテンツが到着後、遅延時間を考慮してそれぞれの端末側で分割コンテンツを再生し、端末間のコンテンツを同期再生する方法が考えられる。
また、同期装置６および端末３がそれぞれ同じ時刻を刻む手段を有する場合には、同期装置によりコンテンツ分割の際にタイムコードをコンテンツのヘッダー等に埋め込み、ネットワークを通じ端末にコンテンツが到着後、タイムコードを考慮してそれぞれの端末側で分割コンテンツを再生することで、端末間のコンテンツを同期再生する方法も考えられる。ここで、それぞれ同じ時刻を刻む手段とは、同期装置６および端末３のそれぞれが電波時計を有する場合や同期装置６および端末３がＮＴＰやＩＳＤＮによる同期が可能な場合などをいう。
【００５６】
（４）上述の第１及び第２の実施形態では、中継装置２の制御部２１が、オリジナルコンテンツを２つの分割コンテンツに分割する場合について説明したが、コンテンツの分割の態様はこれに限らず、例えば、３つに分割するようにしてもよい。要は、コンテンツを複数に分割するものであればよい。
【００５７】
（５）上述の第１及び第２の実施形態では、中継装置２は、サーバ装置１からオリジナルコンテンツを受信するようにしたが、中継装置２がオリジナルコンテンツを取得する態様はこれに限らず、例えば、記憶部２２にオリジナルコンテンツを予め記憶させておき、記憶部２２に記憶されたオリジナルコンテンツを読み出すことによって取得するようにしてもよく、また、外部接続された記憶装置からオリジナルコンテンツを読み出すことによって取得するようにしてもよい。要は、中継装置２の制御部２１が、オリジナルコンテンツを取得するものであればどのようなものであってもよい。
【００５８】
（６）上述の第１及び第２の実施形態では、オリジナルコンテンツとして、映像を表すコンテンツや、映像コンテンツとデータコンテンツとで構成されたコンテンツや、複数の映像コンテンツで構成されたコンテンツを用いたが、オリジナルコンテンツはこれらに限らず、端末３の表示部３４に表示されるべき画像（映像、静止画像、テキストデータによって表される文字画像、等を含む）を表すデータを含むものであればどのようなものであってもよい。また、オリジナルコンテンツは、ひとつの映像を表すコンテンツであってもよく、また、複数の異なるコンテンツを含むものであってもよい。要は、中継装置２の制御部２１が、オリジナルコンテンツを複数に分割するものであればよい。
【００５９】
（７）上述の第１及び第２の実施形態では、携帯電話端末を端末として用いる場合について説明したが、本発明における端末は携帯電話端末に限らず、例えば、デジタルカメラやＰＤＡ等であってもよく、また、例えば、パーソナルコンピュータや液晶テレビ等であってもよい。要は、表示ディスプレイを備えた通信端末であればよい。
【００６０】
（８）上述の第１の実施形態において、中継装置２の制御部２１が、オリジナルコンテンツを、要求データに含まれる端末ＩＤの数に分割するようにしてもよい。具体的には、例えば、要求データに２つの端末ＩＤが含まれる場合には、オリジナルコンテンツを２つに分割する一方、要求データに３つの端末ＩＤが含まれる場合には、オリジナルコンテンツを３つに分割するようにしてもよい。
【００６１】
また、要求データに１つの端末ＩＤが含まれている場合には、オリジナルコンテンツを分割せずにそのまま配信するようにしてもよい。この場合は、要求データは、配信先の端末３を識別する端末ＩＤを１又は複数含み、中継装置２の制御部２１は、要求データを受信すると、受信した要求データに含まれる端末ＩＤが複数ある場合に、オリジナルコンテンツを要求データに含まれる端末ＩＤの数に分割する。また、中継装置２の制御部２１は、受信された要求データに含まれる端末ＩＤが複数ある場合には、複数の分割コンテンツを、受信された要求データに含まれる端末識別情報の示す端末のそれぞれに配信する一方、それ以外の場合には、オリジナルコンテンツを、要求データに含まれる端末ＩＤの示す端末に対して配信する。
【００６２】
（９）上述の第１の実施形態において、中継装置２の制御部２１が、配信先の端末３の表示部３４の表示領域のサイズに応じた分割態様で、オリジナルコンテンツを分割するようにしてもよい。この場合は、端末３は、分割コンテンツの配信先の端末３の表示領域のサイズを示すサイズデータを含めた要求データを送信し、中継装置２の制御部２１が、オリジナルコンテンツを、要求データに含まれるサイズデータに応じた分割態様で、要求データに含まれる端末ＩＤの数に分割する。より具体的には、例えば、配信先となる端末３の表示領域のサイズがそれぞれ異なる場合には、サイズが小さいほうが分割の割合が小さくなるように分割するようにしてもよい。
【００６３】
（１０）上述の第１及び第２の実施形態において、中継装置２が、画像及び音声を表すオリジナルコンテンツを、画像を複数に分割するとともに音声を複数のチャネルに分割した各々を表す分割コンテンツに分割するようにしてもよい。具体的には、中継装置２の制御部２１が、例えば、映像を左右に分割するとともに、音声を左チャンネルと右チャンネルとの２チャンネルに分割するようにしてもよい。
【００６４】
（１１）上述の実施形態に係るサーバ装置１、中継装置２及び端末３の各制御部によって実行されるコンピュータプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットのようなネットワーク経由で各装置にダウンロードさせることも可能である。なお、このような制御を行う制御手段としてはＣＰＵ以外にも種々の装置を適用することができ、例えば、専用のプロセッサなどを用いてもよい。
【符号の説明】
【００６５】
１…サーバ装置、２…中継装置、３…端末、４…ネットワーク、５…認証装置、６…同期装置、１１，２１，３１…制御部、１２，２２，３２…記憶部、３３…操作部、１３，２３…通信部、３５…通信部、３４…表示部、１００…コンテンツ配信システム。
【図１】
2010226240.tif 000003
【図２】
2010226240.tif 000004
【図３】
2010226240.tif 000005
【図４】
2010226240.tif 000006
【図５】
2010226240.tif 000007
【図６】
2010226240.tif 000008
【図７】
2010226240.tif 000009
【図８】
2010226240.tif 000010
【図９】
2010226240.tif 000011
【図１０】
2010226240.tif 000012
【図１１】
2010226240.tif 000013